(57)【要約】【課題】簡素な構成により速結端子のぐらつきを防止することができると共に、組立作業性や配線作業性を向上させることができる換気扇を提供することを課題とする。【解決手段】本体ケース４に形成された吸気口及び排気口９と、本体ケース４内に配設され、吸気口から本体ケース４内に吸込んだ空気を排気口９を介して本体ケース４外へ排気する羽根車６及び羽根車６を回転させる電動機７から構成された送風機８と、電動機７に電気的に接続されると共に、電源電線に着脱自在に接続可能な速結端子１８とを備え、前記速結端子１８は、本体ケース４内に装着される取付板２１に固定されると共に、取付板２１と本体ケース４により挟持される。【選択図】          図１
2005274026.tif 000002
【特許請求の範囲】
【請求項１】
本体ケースに形成された吸気口及び排気口と、本体ケース内に配設され、吸気口から本体ケース内に吸込んだ空気を排気口を介して本体ケース外へ排気する羽根車及び羽根車を回転させる電動機から構成された送風機と、電動機に電気的に接続されると共に、電源電線に着脱自在に接続可能な速結端子とを備え、前記速結端子は、本体ケース内に装着される取付板に固定されると共に、取付板と本体ケースにより挟持されていることを特徴とする換気扇。
【請求項２】
前記速結端子に対応する位置の本体ケースには、速結端子が本体ケース外に臨む開口部が形成されていることを特徴とする請求項１記載の換気扇。
【請求項３】
前記速結端子は、開口部を介して本体ケース外へ露出すると共に、開口部の開口縁に近接していることを特徴とする請求項２記載の換気扇。
【請求項４】
前記取付板には、速結端子に電気的に接続されるコンデンサーが固定されていることを特徴とする請求項１乃至請求項３の何れか１項に記載の換気扇。
【請求項５】
前記取付板の速結端子の固定部は、取付板に形成された規制手段により本体ケースの内側への動きが規制されていることを特徴とする請求項１記載乃至請求項４の何れか１項に記載の換気扇。
【請求項６】
前記規制手段は、速結端子の固定部より本体ケースの内側に形成された切起しにより構成されていることを特徴とする請求項５記載の換気扇。
【発明の詳細な説明】
【技術分野】
【０００１】
本発明は、屋内配線された電源電線から電源が供給される換気扇に関する。
【背景技術】
【０００２】
この種の換気扇においては、吸気口から本体ケース内に吸込んだ空気を排気口から本体ケース外へ排気する送風機を本体ケース内に配設し、送風機と電気的に接続されると共に、電源電線に着脱自在に接続可能な速結端子を本体ケース内に形成された電装ボックス内に収納しているものが知られている（例えば、特許文献１参照）。
【特許文献１】特開平８−２４７５１９号公報
【発明の開示】
【発明が解決しようとする課題】
【０００３】
しかしながら、速結端子を電装ボックス内にぐらつきなく保持するためには、電装ボックスを蓋体により閉塞する必要があり、構成が複雑化すると共に、組立作業性が低下する欠点があった。
【０００４】
また、電源電線を速結端子に着脱する際には蓋体を開閉させなければならないと共に、狭い本体ケース内で電源電線の着脱作業を行わなければならず、配線作業性が低下する欠点があった。
【０００５】
本発明はこのような課題を解決するためになされたものであり、簡素な構成により速結端子のぐらつきを防止することができると共に、組立作業性や配線作業性を向上させることができる換気扇を提供することを課題とする。
【課題を解決するための手段】
【０００６】
上記課題を解決するための手段は、本体ケースに形成された吸気口及び排気口と、本体ケース内に配設され、吸気口から本体ケース内に吸込んだ空気を排気口を介して本体ケース外へ排気する羽根車及び羽根車を回転させる電動機から構成された送風機と、電動機に電気的に接続されると共に、電源電線に着脱自在に接続可能な速結端子とを備え、前記速結端子は、本体ケース内に装着される取付板に固定されると共に、取付板と本体ケースにより挟持されていることを特徴とする。
【０００７】
上記課題を解決するための手段において、前記速結端子に対応する位置の本体ケースには、速結端子が本体ケース外に臨む開口部が形成されてもよい。
【０００８】
また、前記速結端子は、開口部を介して本体ケース外へ露出すると共に、開口部の開口縁に近接してもよい。
【０００９】
また前記取付板には、速結端子に電気的に接続されるコンデンサーが固定されてもよい。
【００１０】
また、前記取付板の速結端子の固定部は、取付板に形成された規制手段により本体ケースの内側への動きが規制されてもよい。
【００１１】
また、前記規制手段は、速結端子の固定部より本体ケースの内側に形成された切起しにより構成されてもよい。
【発明の効果】
【００１２】
本発明の請求項１の構成によると、速結端子は折曲板と本体ケースとにより挟持されているため、速結端子が電源電線の着脱によってぐらつくことを防止することができる。また、速結端子は本体ケースに直接取り付けられることなく、取付板を介して本体ケースに取り付けられているため、速結端子の配線処理を行った後に本体ケースに取り付けることができ組立作業性を向上させることができる等の効果を奏する。
【００１３】
本発明の請求項２の構成によると、速結端子は開口部を介して本体ケース外に臨んでいるため、電源電線の着脱作業を本体ケース外から行うことができ配線作業性を向上させることができる等の効果を奏する。
【００１４】
本発明の請求項３の構成によると、開口部から露出している速結端子は開口部周縁に近接しているため、速結端子の開口部の周方向への動きが開口部により規制され、速結端子のぐらつきをより確実に防止することができる等の効果を奏する。
【００１５】
本発明の請求項４の構成によると、取付板にはコンデンサーが固定されるため、速結端子とコンデンサーとの配線作業も容易になり、組立作業性を向上させることができる等の効果を奏する。
【００１６】
本発明の請求項５の構成によると、取付板の速結端子の固定部は、規制手段により本体ケースの内側への動きが規制されているため、電源電線を速結端子に接続する際に、速結端子が本体ケースの内側へ移動してしまうことを防止することができる等の効果を奏する。
【００１７】
本発明の請求項６の構成によると、切起しという簡単な構成により請求項５の効果を奏することができる。
【発明を実施するための最良の形態】
【００１８】
本発明の換気扇の一実施形態を図１乃至図６に基づいて説明する。本発明の換気扇は、天井１に形成された開口穴２から天井裏に突出して配設されており、下方を開口３する箱型に形成された本体ケース４と、本体ケース４の開口３を着脱自在に覆い図示しない吸気口を有するグリル５と、本体ケース４内に設けられた羽根車６と羽根車６を回転させる電動機７とからなる送風機８と、排気口９が形成された本体ケース４の一側面に着脱自在に接続されるダクト接手１０とからなるダクト用換気扇により構成されている（図１参照）。
【００１９】
本体ケース４の開口３周縁には鍔部１１が形成されており、ダクト用換気扇を天井１に取付ける際に天井１の開口穴２周縁に当接する。羽根車６は、ファンケーシング１２で囲繞されており、グリル５の吸気口を介して本体ケース４内に吸込まれた部屋の空気を排気口９へ案内する。本体ケース４の下部には、グリル５を取付けるためのグリル取付部１３が形成されている。グリル５の裏面には係止爪１４が形成され、グリル取付部１３に係止される線バネ１５が係止爪１４に取付けられている（図１参照）。
【００２０】
ファンケーシング１２の上面より突出する収納凹部１６には、駆動軸１７をファンケーシング１２内に突出した状態の電動機７が収納されている。電動機７の駆動軸１７には図示しないナットにて羽根車６が固定されている。収納凹部１６の電動機７近傍位置には、図示しない電源電線に着脱自在に接続可能な速結端子１８が、その電源電線との接続部１９を本体ケース４に形成された開口部２０に対向させると共に、開口部２０を介して本体ケース４から露出させて配置されている。開口部２０は速結端子１８より小さな面積で形成されていると共に、速結端子１８の開口部２０からの露出部は開口部２０周縁に近接し
ている。速結端子１８は取付板２１に固定され、取付板２１を本体ケース４に装着することにより、速結端子は取付板２１と本体ケース４とで挟持される。取付板２１には速結端子１８に電気的に接続されるコンデンサー２２が固定されている（図１、図６参照）。
【００２１】
取付板２１は、略半円弧状の底板２３と、底板２３の略半円弧の弦部２４から上方に向けて垂直に折り曲げられた弦側板２５と、底板２３の弦部２４に隣接する直線部２６から上方へ向けて垂直に折り曲げられた側板２７と、弦側板２５と略平行に対向するように弧部２８側の側板２７から弦側板２５へ向けて垂直に折り曲げられた折曲板２９と、底板２３と略平行となるように弦側板２５と側板２７から夫々外方へ折り曲げられた装着板３０とから構成されている（図３参照）。
【００２２】
弦側板２５の弧部２８側にはコンデンサー２２が螺子３１により底板２３に固定されている。折曲板２９の弧部２８側には、速結端子１８がネジ３２により図示しない電源電線との接続部１９を外側へ向けて固定されている。折曲板２９の弦部２４側の底板２３には上方へ向けて切起し３３が折曲板２９に対向する高さまで形成されている。この結果、折曲板２９及び速結端子１８の弦部２４方向への動きが切起し３３により規制される。装着板３０には夫々ねじ孔３４が形成されており、ねじ孔３４を介してネジ３２により装着板３０は本体ケース４に取り付けられる（図２，図４参照）。
【００２３】
ダクト接手１０には、屋外に連通する図示しないダクトが接続されるダクト接続部３６が形成されている。ダクト接手１０内には排気口９とダクトとを連通する通路３７が形成され、通路３７を開閉する風圧式のシャッター３８が通路３７内に設けられている（図１参照）。
【００２４】
このように構成されたダクト用換気扇は、電動機７、コンデンサー２２及び速結端子１８間を電気的に接続した後、電動機７を本体ケース４内に装着すると共に、コンデンサー２２及び速結端子１８を固定した取付板２１を、速結端子１８の接続部１９が開口部２０を介して本体ケース４外に露出した状態で本体ケース４内に装着する。この結果、速結端子１８は取付板２１の折曲板２９と本体ケース４とで挟持される（図１参照）。電動機７の駆動軸１７に羽根車６を取り付け、シャッター３８を装着したダクト接手１０を本体ケース４に取り付けると共に、グリル５を取り付けるとダクト用換気扇の組立作業が終了する。そして、ダクト用換気扇を天井１に取り付けて開口部２０近傍の天井１に形成された図示しない点検穴等を介して天井裏から電源電線を速結端子１８の接続部１９に接続すると配線作業が完了する。
【００２５】
そして、電動機７を駆動して羽根車６を回転させるとグリル５の吸気口から部屋内の空気が吸込まれ、吸込まれた空気がファンケーシング１２内に流入し、大部分はファンケーシング１２に案内され排気口９に向かい、一部は収納凹部１６内を通って電動機７を冷却して排気口９へ向かう。そして、排気口９からの風圧でシャッター３８が開き、ダクト接手１０の通路３７からダクトを介して屋外に排気される。
【００２６】
速結端子１８は、電源電線が着脱される方向に対して折曲板２９と本体ケース４とにより挟持されているため、速結端子１８が電源電線の着脱によってぐらつくことはない。また、折曲板２９は片側が開放されているため、大きな力で電源電線を速結端子１８に差込んだ場合には、速結端子１８と共に本体ケース４の内側へ移動してしまう虞があるが、折曲板２９は切起し３３により本体ケース４の内側への動きが規制されているため、折曲板２９が本体ケース４の内側へ移動してしまうことはない。
【００２７】
速結端子１８の本体ケース４の外側への動きは、本体ケース４により規制される。また、本体ケース４の開口部２０の開口面積は速結端子１８より小さく形成しているため、開
口部２０を介して速結端子１８が本体ケース４の外側へ抜け出ることはない。また、速結端子１８の接続部１９は開口部２０を介して本体ケース４外へ露出しているため、電源電線の着脱作業を本体ケース４の外側から行うことができ配線作業性を向上させることができる。さらに、開口部２０から露出している速結端子１８は開口部２０周縁に近接しているため、接続部１９側から見て速結端子１８の上下左右方向の動きが開口部２０により規制され、速結端子１８のぐらつきをより確実に防止することができる。
【００２８】
速結端子１８は本体ケース４に直接取り付けられることなく、取付板２１を介して本体ケース４に取り付けられているため、速結端子１８等の配線処理を行った後に、本体ケース４に取り付けることができ組立作業性を向上させることができる。また、取付板２１にはコンデンサー２２が固定されるため、速結端子１８とコンデンサー２２との配線作業も容易になり、さらに組立作業性を向上させることができる。
【００２９】
尚，本発明の実施の形態では、本発明の換気扇をダクト用換気扇に適用した例について詳述したが、この構成に限定されるものではない。標準換気扇や床下換気扇等のその他の換気扇に適用してもよい。
【００３０】
また、本発明の実施形態では、折曲板２９の動きを規制する規制手段は切起し３３で構成したが、この構成に限定されるものではない。バーリング加工等のその他の加工により規制手段を構成してもよい。
【図面の簡単な説明】
【００３１】
【図１】本発明の一実施形態の換気扇の側断面図で、天井に取付けた状態を示す。
【図２】同換気扇をグリルの方向から見た図で、グリル、ファンケーシング及び羽根車を取り外した状態を示す。
【図３】同換気扇の取付板の斜視図である。
【図４】同換気扇の取付板の上面図で、コンデンサーと速結端子を取り付けた状態を示す。
【図５】図４を速結端子の方から見た側面図である。
【図６】同換気扇の外観図で、本体ケースの開口部を見た状態を示す。
【符号の説明】
【００３２】
４    本体ケース
５    グリル
７    電動機
８    送風機
９    排気口
１８  側結端子
２１  取付板
２２  コンデンサー
３３  切起し（規制手段）
【図１】
2005274026.tif 000003
【図２】
2005274026.tif 000004
【図３】
2005274026.tif 000005
【図４】
2005274026.tif 000006
【図５】
2005274026.tif 000007
【図６】
2005274026.tif 000008